(57)【要約】  【課題】  組み立て、分解、整理、収納が容易で、また優れた立体発光の飾り効果を持たせる。  【解決手段】  組み立て式発光飾り物１０を、底座１と、底座１の上に固定される支柱２と、支柱２に取り付けられる少なくとも２組以上の飾り板３、４を有する飾り物１０ａと、飾り物１０ａの輪郭に沿って光を透過可能なパイプを這わし固定され、パイプの中に発光体が配置された発光飾りライン１０ｂとにより構成する。【選択図】  図１
0003102094.tif 000002
【実用新案登録請求の範囲】
【請求項１】
底座と、前記底座の上に固定される支柱と、前記支柱に取り付けられる少なくとも２組以上の飾り部材と、前記飾り部材の輪郭に沿って光を透過可能なパイプを這わし固定され、前記パイプの中に発光体が配置された発光飾りラインとを備えたことを特徴とする組み立て式発光飾り物。
【請求項２】
支柱の上端に差し込み可能な飾り部材を有する請求項１に記載の組み立て式発光飾り物。
【請求項３】
底座は、旋回芯と、前記旋回芯の上下両端に各別に設置される２つの旋回キャップと、前記旋回芯の周囲に対称的に固定され、前記旋回芯に連結される支え架橋及び前記旋回芯と前記支え架橋との間を連繋する繋ぎバーとを有する一対の支持脚と、前記上下の旋回キャップ間に架け渡されて前記旋回芯の周囲に対称的に配置され、前記上の旋回キャップに連結される旋回支え架橋及び前記下の旋回キャップと前記旋回支え架橋との間を連繋する繋ぎバーとを有する一対の支持脚とを具備する請求項１又は２に記載の組み立て式発光飾り物。
【請求項４】
支柱は複数本のパイプからなり、各パイプは直接差し込み方式により接続され、最下部のパイプが直接、底座の上の旋回キャップを通じて旋回芯に差し込まれる請求項１乃至３のいずれかに記載の組み立て式発光飾り物。
【請求項５】
支柱に、前記支柱の周囲に組み付けられ、飾り部材を挟持可能な少なくとも２つのクリップ片からなる固定部材と、前記各クリップ片間に前記各クリップ片間に挟持された前記飾り部材と共に挿通されるボルト及びナットとを有する請求項１乃至４のいずれかに記載の組み立て式発光飾り物。
【請求項６】
飾り部材は、上下に組み合わせ可能な複数の飾り板からなり、前記各飾り板は内側の取り付け縁部が支柱に沿って真直ぐに形成され、他の縁部に発光飾りラインを固定するための及び前記各飾り板を結合するためのベルトを通す孔が形成される請求項１乃至５のいずれかに記載の組み立て式発光飾り物。
【請求項７】
飾り板は光を透かす性質の板からなり、その面に光を変化させる線状、点状の部分を有する請求項６に記載の組み立て式発光飾り物。
【請求項８】
飾り板の縁部に発光飾りラインが嵌合可能な凹溝を有する請求項６又は７に記載の組み立て式発光飾り物。
【請求項９】
飾り板の面に複数の孔を有する請求項６乃至８のいずれかに記載の組み立て式発光飾り物。
【請求項１０】
発光飾りラインのパイプは湿気を防ぐ複数の透明プラスチック性のソフトパイプから構成される請求項１乃至９のいずれかに記載の組み立て式発光飾り物。
【請求項１１】
発光飾りラインの発光体は、発光ランプと、前記発光ランプに繋がれた発光ランプ側のコードと、コンセントに差し込むプラグを具備するプラグ側のコードと、発光ランプ側のコードとプラグ側のコードを連結する連結器とを有する請求項１乃至１０のいずれかに記載の組み立て式発光飾り物。
【考案の詳細な説明】
【技術分野】
【０００１】
本考案は、組み立て式発光飾り物に関し、特に発光式のクリスマスツリーなど、ＤＩＹ式、組み立て式の立体造型で、且つ煌びやかの効果を発揮する組み立て式発光飾り物に関するものである。
【背景技術】
【０００２】
一般に市販されている発光式のクリスマスツリーの大半は、底座、中央の支え架橋（支柱）、枝と葉っぱの茂る飾り本体、クリスマスツリー本体に巻かれる発光体（電球）などで組み立てられている（特許文献１参照。）。
【特許文献１】実開平５−６６８６２号公報
【考案の開示】
【考案が解決しようとする課題】
【０００３】
しかしながら、従来の発光式クリスマスツリーでは、より良い飾り付けや発光効果が求められているために、業者は発光体の数やそのコードの長さを増やさざるを得ない。このため、クリスマスツリーには数多くの発光体が密に飾り付けられ、その発光体を連繋する長いコードがクリスマスツリーに複雑な状態に巻き付けられるため、その組み立てが容易でなく、反対にその分解、整理、収納が大変で、煩雑になるという問題がある。
【０００４】
本考案は、このような従来の課題に鑑みなされたもので、この種の組み立て式発光飾り物において、組み立て、分解、整理、収納が容易で、また優れた立体発光の飾り効果を持たせること、さらに、発光式のクリスマスツリーとした場合、クリスマスツリーに巻き付けられるランプやそのコードが絡み合ったりクリスマスツリーに纏わり付いたりしないようすること、クリスマスツリーのプラスチックの針葉が落ちにくく、熱などで変形しないようにすること、クリスマスツリーの伝統的な形から新しい形に変更できること、を目的とする。
【課題を解決するための手段】
【０００５】
上記課題を解決するために、本考案の組み立て式発光飾り物は、底座と、前記底座の上に固定される支柱と、前記支柱に取り付けられる少なくとも２組以上の飾り部材と、前記飾り部材の輪郭に沿って光を透過可能なパイプを這わし固定され、前記パイプの中に発光体が配置された発光飾りラインとを備える。
【０００６】
また、本考案の組み立て式発光飾り物は、次のように具体化される。第１に、支柱の上端に差し込み可能な飾り部材を有する。
【０００７】
第２に、底座は、旋回芯と、前記旋回芯の上下両端に各別に設置される２つの旋回キャップと、前記旋回芯の周囲に対称的に固定され、前記旋回芯に連結される支え架橋及び前記旋回芯と前記支え架橋との間を連繋する繋ぎバーとを有する一対の支持脚と、前記上下の旋回キャップ間に架け渡されて前記旋回芯の周囲に対称的に配置され、前記上の旋回キャップに連結される旋回支え架橋及び前記下の旋回キャップと前記旋回支え架橋との間を連繋する繋ぎバーとを有する一対の支持脚とを具備する。
【０００８】
第３に、支柱は複数本のパイプからなり、各パイプは直接差し込み方式により接続され、最下部のパイプが直接、底座の上の旋回キャップを通じて旋回芯に差し込まれる。第４に、支柱に、前記支柱の周囲に組み付けられ、飾り部材を挟持可能な少なくとも２つのクリップ片からなる固定部材と、前記各クリップ片間に前記各クリップ片間に挟持された前記飾り部材と共に挿通されるボルト及びナットとを有する。
【０００９】
第５に、飾り部材は、上下に組み合わせ可能な複数の飾り板からなり、前記各飾り板は内側の取り付け縁部が支柱に沿って真直ぐに形成され、他の縁部に発光飾りラインを固定するための及び前記各飾り板を結合するためのベルトを通す孔が形成される。第６に、飾り板は光を透かす性質の板からなり、その面に光を変化させる線状、点状の部分を有する。第７に、飾り板の縁部に発光飾りラインが嵌合可能な凹溝を有する。第８に、飾り板の面に複数の孔を有する。
【００１０】
第９に、発光飾りラインのパイプは湿気を防ぐ複数の透明プラスチック性のソフトパイプから構成される。第１０に、発光飾りラインの発光体は、発光ランプと、前記発光ランプに繋がれた発光ランプ側のコードと、コンセントに差し込むプラグを具備するプラグ側のコードと、発光ランプ側のコードとプラグ側のコードを連結する連結器とを有する。
【考案の効果】
【００１１】
本考案の組み立て式発光飾り物は、上記構成を有し、次のような効果を奏することができる。
１．底座、支柱、飾り部材、発光飾りラインをそれぞれ簡単に組み付けることができ、発光飾り物全体を容易に組み立てることができる。この場合、発光飾りラインが飾り部材の輪郭に沿って取り付けられるので、従来のように複雑な発光部品やコードが飾り物本体に纏わり付いたり、コードが絡み合ったりすることがない。また、これら部品の分解も容易で、整理、収納がし易い。
２．全体の構造は強く、耐久性に優れているので、繰り返し使用することができる。また、飾り板の取り付け態様により、全体を平面的な形又は立体的な形に形成することができ、発光式のクリスマスツリーとした場合、クリスマスツリーの伝統的な形から新しい形に変更することができる。飾り部材が飾り板で形成されることで、従来のようにクリスマスツリーのプラスチックの針葉が落ちたり、熱などで変形したりすることがない。
３．飾り部材の偏射機能により、光（光線）を偏射することにより、光で装飾パネル全体を覆い、色彩絢爛、装飾効果を十分に発揮することができるなど、優れた立体発光の飾り効果を持たせることができる。
４．飾り部材の面に複数の孔が設けられているため、この発光飾り物が室外に設置された場合に、飾り部材に空気を流通し易くして、飾り部材に強風の影響を少なくし、また、これらの孔に小さな飾り物を設置することができ、美観を増大する効果がある。
【考案を実施するための最良の形態】
【００１２】
以下、本考案の実施の形態を図面を参照しながら説明する。
【００１３】
図1乃至図８に本考案の一実施の形態における組み立て式発光飾り物を示している。図１に示すように、組み立て式発光飾り物１０は発光式のクリスマスツリーを構成するもので、図２に示すように、底座１、底座１上に固定される支柱２、支柱２に固定される３組の飾り板３、飾り板４などの飾り物１０ａ、発光飾りライン１０ｂにより組み立てられる。
【００１４】
底座１は、図３に示すように、旋回芯１１と、旋回芯１１の上下両端に各別に設置される２つの旋回キャップ１２、１３と、旋回芯１１の周囲に対称的に固定され、旋回芯１１に連結される支え架橋１６及び旋回芯１１と支え架橋１６との間を連繋する繋ぎバー１７とを有する一対の支持脚と、上下の旋回キャップ１２、１３間に架け渡されて旋回芯１１の周囲に対称的に配置され、上の旋回キャップ１２に連結される旋回支え架橋１８及び下の旋回キャップ１３と旋回支え架橋１８との間を連繋する繋ぎバー１９とを有する一対の支持脚とにより組み立てられる。また、図４に示すように、上の旋回キャップ１２の周面にロック用のナット１４が溶接により固着され、このナット１４にボルト１５が螺合される。このボルト１５を締め込むことにより、旋回側の一方の支持脚が旋回芯１１にロックされ、反対にボルト１５をナット１４から弛めることにより、旋回側の一方の支持脚が旋回芯１１を中心に左右方向に旋回することができる。したがって、図３に示すように、各支持脚が展開されて、ボルト１５がナット１４に締め込まれることにより、底座１はその展開された状態が固定され、この底座１により発光飾り物１０全体がバランス良く支持固定され、ボルト１５がナット１４から緩められることで、一方の支持脚を他方の支持脚に重ねて折り畳むことができ、底座１を不使用時にコンパクトに収納することができる。
【００１５】
支柱２は、図３に示すように、複数本の真直ぐパイプ２１〜２４からなり、各パイプ２１〜２４は直接差し込み方式により組み立てられる。この場合、最下部のパイプ２１は直接、底座１の、上の旋回キャップ１２を通じて旋回芯１１に差し込まれるようになっている。他のパイプ２２〜２４はそれぞれ一端に小径の差し込み部２２１〜２４１を有し、他端に差し込み口２２２〜２４２を有し、最下部のパイプ２１の差し込み口２１２にパイプ２２の差し込み部２２１が差し込まれて両者が接続され、同様にしてパイプ２３、２４が順次接続される。なお、各パイプ２１〜２４には大きさの異なる飾り板３（装飾パネル３１〜３３）が取り付けられるため、各パイプ２１〜２４毎に長さが異なり、飾り板３（装飾パネル３１〜３３）の取り付け縁部３３１の長さに従って決定される。また、支柱２には、飾り板３（装飾パネル３１〜３３）を固定するための複数の固定組部材５が取り付けられる。この場合、各パイプ２２〜２４の外周面に少なくとも２組以上の固定組部材５が組み付けられる。各固定組部材５は、図５及び図６に示すように、３つのクリップ片５１から構成されている。各クリップ片５１は各パイプ２２〜２４の外周面に沿う湾曲状の固定面とその両側の支柱２の外周面に対して外側に向けて起されたクリップ部５２とを有し、クリップ部５２にボルト挿通穴が形成される。これらクリップ片５１は各パイプ２２〜２４の外周面に巻き付けられ、隣合うクリップ片５１の各クリップ部５２の間に後述する飾り板３（装飾パネル３１〜３３）を差し込み可能な間隔（距離）５３が設定され、３つの間隔５３が各パイプ２２〜２４の周囲に１２０度間隔に設けられる。これらのクリップ片５１は各パイプ２２〜２４にボルト５４、ナット５５で固定される。この場合、装飾パネル３（装飾パネル３１〜３３）にボルト挿通穴３３２が設けられていて、各クリップ部５２間に飾り板３（装飾パネル３１〜３３）が差し込まれた状態から、各クリップ部５２、飾り板３（装飾パネル３１〜３３）の各ボルト挿通穴３３２にボルト５４が通されてナット５５に締結される。これらボルト５４、ナット５５の調整により２つのクリップ部５２の間隔を調整することができる。なお、クリップ片５１は各パイプ２２〜２４にボルトや溶接などにより予め固定されていてもよい。
【００１６】
一方の飾り板３は、図１又は図２に示すように、大きさ、形状の異なる１組３枚の装飾パネル３１〜３３で、この発光式のクリスマスツリーでは、全体が３組の飾り板３により構成され、３組の各飾り板３の装飾パネル３１〜３３が上下に並べて組み立てられることにより樹木の枝葉の外形が造形される。これらの装飾パネル３１〜３３は内側の取り付け縁部３３１が支柱２に沿って真直ぐに形成され、この縁部３３１に沿って固定組部材５のボルト５４を通すためのボルト挿通穴３３２が穿たれている。また、図７に示すように、外側の縁部６３には、発光飾りライン１０ｂが嵌合可能なアーク状の凹溝６４が形成され、この凹溝６４に沿って発光飾りライン１０ｂを固定するためのベルト７を通す孔６７が形成される。さらに、図８に示すように、各装飾パネル３１〜３３が隣接される上、下縁部に各装飾パネル３１〜３３を結合するためのベルト７を通す孔６７が形成される。したがって、各組の各装飾パネル３１〜３３は既述のとおり支柱２に取り付けられ、各組の各装飾パネル３１、３２、３３が各装飾パネル３１、３２、３３間の隣合う各孔６７にベルト７を通されて結合される。なお、飾り板３は樹木の外形に限定されるものではなく、立体的なクリスマスツリーの他、サンタクロースや、サンタ雪だるまなど、種々の造形が可能であることは勿論である。
【００１７】
また、各装飾パネル３１〜３３は光を透かす性質と、光を偏射する性質を有している。ここで各装飾パネル３１〜３３には、図７に示すように、光を透かす性質を有する適当な厚さのプラスチック製の板が採用され、その正面全体に光を変化させるテコ線６１など横向きの線状の部分が縦方向に複数の列にして形成される。さらに、テコ線６１間の溝の中に点状の凸部分６５が形成される。この点状の凸部分６５は多数分散された状態に設けられる。なお、各装飾パネル３１〜３３の背面６２は平坦面である。また、各装飾パネル３１〜３３の板面には多数の孔６６が形成される。この孔６６は星形などのデザインや、種々のキャラクタデザインにして形成され、飾り効果が持たされる他、クリスマス用の飾り物を掛けて可愛い、楽しいと感じるようなアトラクション効果が追加されたり、孔６６の周りに光線を止めてはっきりと浮かび上がるような発光キャラクタが作り出されるようにしてもよい。さらに、この孔６６に空気を通すことで、このクリスマスツリーが戸外に設置された場合に、装飾パネル３に対する風の影響を緩和し、クリスマスツリーの転倒が防止される。
【００１８】
他方の飾り板４は、図２に示すように、平面状の板からなり、その下部にバー４１を有し、このバー４１を支柱２の最上部のパイプ２４の差し込み口２４２に差し込んで、支柱２の上部に固定できるになっている。この飾り板４にも、飾り板３と同様に、星形などのデザインや、種々のキャラクタデザインにして孔６６が形成され、飾り効果が持たされている。この場合もまた、この孔６６にクリスマス用の飾り物を掛けて可愛い、楽しいと感じるようなアトラクション効果を追加したり、孔６６の周りに光線を止めてはっきりと浮かび上がるような発光キャラクタを作ったりしてもよい。さらに、この孔６６に空気を通すことで、このクリスマスツリーが戸外に設置された場合に、装飾パネル３に対する風の影響を緩和し、クリスマスツリーの転倒が防止される。
【００１９】
発光飾りライン１０ｂは、図８に示すように、光を透過可能なパイプ８１１と、パイプ８１１の中に配置される発光体８１２とを備える。パイプ８１１は飾り板４から各装飾パネル３１〜３３の長い輪郭に沿う、１組４本のソフトパイプにより構成される。これらのソフトパイプに湿気を防ぐ透明のプラスチック製のパイプが採用される。発光体８１２は、発光ランプ８１と、発光ランプ８１に繋がれた発光ランプ側のコード８１３と、コンセントに差し込むプラグ８４を具備するプラグ側のコード８２（図１参照）と、発光ランプ側のコード８１３とプラグ側のコード８２を連結する連結器８３（図１参照）とを具備する。発光ランプ８１と発光ランプ側のコード８１３は予めパイプ８１１内に挿入される。このようにして発光飾りライン１０ｂは飾り板４から、３組の飾り板３の輪郭に沿って這わすように固定される。この場合、飾り板３、４の縁部に形成された凹溝６４に発光飾りライン１０ｂが配置され、飾り板３、４の縁部に沿って設けられた孔６７にベルト７が通されてこのベルト７で緊縛される。パイプ８１１の下端で発光ランプ８１側のコード８１３とプラグ側のコード８２が連結器８３により連結される。
【００２０】
このようにして発光飾り物１０が構成され、既述のとおりに組み立てられる。図１に示すように、この発光飾り物１０の場合、プラグ８４が電源コンセントに差し込まれると、発光飾りライン１０ｂに電気が流れ、パイプ８１１内の発光ランプ８１が煌びやかに発光する。この発光飾りライン１０ｂの発光時、その光線は光を透す装飾パネル３、４のテコ線６１により、偏射され、これが光を導く効果となる。また点状の凸部分６５では光が暫く止められ、点状の発光効果が発揮される。
【００２１】
このように発光飾り物１０によれば、底座１、支柱２、飾り物１０ａ、発光飾りライン１０ｂを相互に簡単に組み付けることができ、全体を容易に組み立てることができる。この場合、発光飾りライン１０ｂが飾り物１０ａの輪郭に沿って取り付けられるので、従来のように複雑な発光部品やコードが飾り物本体に纏わり付いたり、コードが絡み合ったりすることがない。また、これら部品の分解も容易で、整理、収納がし易い。特に、全体をコンパクトに折り畳み、収納できるので、収納スペースを小さくすることができる。また、全体の構造は丈夫で、耐久性に優れているので、繰り返し使用することができる。さらに、飾り板３の取り付け態様により、全体を平面的な形又は立体的な形に形成することができるので、クリスマスツリーの伝統的な形から新しい形に変更することができる。また飾り物１０ａが飾り板３、４で形成されるので、従来のクリスマスツリーのようにプラスチックの針葉が落ちたり、熱などで変形したりすることがない。また、飾り板３の偏射機能により、光（光線）を偏射することにより、光で装飾パネル３１〜３３全体を覆い、色彩絢爛、装飾効果を十分に発揮することができ、優れた立体発光の飾り効果を持たせることができる。さらに、飾り板３、４の面に複数の孔６６が設けられているため、この発光飾り物１０が室外に設置された場合に、飾り板３、４に空気を流通し易くして、飾り板３、４に強風の影響を少なくすることができ、また、これらの孔６６に小さな飾り物を設置することで、美観を増大させることができる。
【００２２】
なお、この実施の形態では、飾り板３が１組３枚の装飾パネル３１〜３３で、３組用いられているが、図９に示すように、２組の飾り板３を支柱２に１８０度間隔に取り付けて、平面的なクリスマスツリーを造形することができる。この場合、パイプ２２〜２４の周面に固定組部材５を支柱２の外周に巻き付けられる２つのクリップ片で組み立てればよい。すなわち、図１０及び１１に示すように、各クリップ片５１'の両側に同様にしてクリップ部５２が形成され、２つのクリップ片５１'間に装飾パネル３１〜３３が挿入可能な間隔が設定される。他の部品及びその構造については上記実施の形態の中で説明したとおりである。また、ここでは特に図示しないが、飾り板３を１組増設して４組にし、固定組部材５を４枚の装飾パネル用に変更することにより、４組の飾り板３を支柱２の周囲に９０度間隔に取り付けることもでき、立体造形を種々に変化させることができる。
【図面の簡単な説明】
【００２３】
【図１】本考案の一実施の形態における組み立て式発光飾り物の全体構成を示す斜視図である。
【図２】同実施の形態における組み立て式発光飾り物の全体構成を示す一部分解斜視図である。
【図３】同実施の形態における組み立て式発光飾り物に用いる底座及び支柱を示す一部分解斜視図である。
【図４】同実施の形態における組み立て式発光飾り物に用いる底座の要部を示す一部省略斜視図である。
【図５】同実施の形態における組み立て式発光飾り物に用いる固定組部材を示す部分斜視図である。
【図６】同実施の形態における組み立て式発光飾り物に用いる固定組部材を示す部分平面図である。
【図７】同実施の形態における組み立て式発光飾り物に用いる装飾パネル及び発光飾りラインを示す部分斜視図である。
【図８】同実施の形態における組み立て式発光飾り物に用いる装飾パネル縁部の孔及びベルトを示す部分斜視図である。
【図９】本考案の別の実施の形態における組み立て式発光飾り物の全体構成を示す斜視図である。
【図１０】同実施の形態における組み立て式発光飾り物に用いる固定組部材を示す部分斜視図である。
【図１１】同実施の形態における組み立て式発光飾り物に用いる固定組部材を示す部分平面図である。
【符号の説明】
【００２４】
１０  発光飾り物
１０ａ  飾り物（飾り部材）
１０ｂ  発光飾りライン
１  底座
１１  旋回芯
１２、１３  旋回キャップ
１４  ナット
１５  ボルト
１６、１８  支え架橋
１７、１９  繋ぎバー
２  支柱
２１〜２４  パイプ
３  飾り板
３１〜３３  装飾パネル
４  飾り板
５  固定組部材
５４  ボルト
５５  ナット
８１  発光ランプ
【図１】
0003102094.tif 000003
【図２】
0003102094.tif 000004
【図３】
0003102094.tif 000005
【図４】
0003102094.tif 000006
【図５】
0003102094.tif 000007
【図６】
0003102094.tif 000008
【図７】
0003102094.tif 000009
【図８】
0003102094.tif 000010
【図９】
0003102094.tif 000011
【図１０】
0003102094.tif 000012
【図１１】
0003102094.tif 000013